(57)【要約】  【目的】  比較的簡単に画像を指定する。  【構成】  電子アルバム制御装置30には，多数の画像を表す画像データが記録されている。画像データが電子アルバム制御装置30からテレビジョン装置40に送信され，多数駒のサムネイル画像が，携帯電話１のテン・キーパットの配列に対応して配列されて表示される。携帯電話１のテン・キーパッドが押されると，その押されたキーパッドを識別する出たが携帯電話１から電子アルバム制御装置30に送信される。電子アルバム制御装置30において，どのキーパッドが押されたかが判定され，テレビジョン装置40に表示されているサムネイル画像のうち，押されたキーパッドに対応する画像が選択されることとなる。  【選択図】  図１
2006094125.tif 000002
【特許請求の範囲】
【請求項１】
リモート・コントローラと画像表示システムとを備えた画像表示コントロール・システムにおいて，
上記リモート・コントローラが，
複数キーパッド，および
上記複数のキーパッドのうちいずれかのキーパッドが押されたことに応じて，押されたキーパッドを識別する識別データを上記画像表示システムに送信する識別データ送信手段を備え，
上記画像表示システムが，
上記リモート・コントローラの上記複数のキーパッドの配列に対応して，複数の画像を表示画面上に表示するように画像表示装置を制御する表示制御手段，
上記リモート・コントローラの上記識別データ送信手段から送信された識別データを受信する識別データ受信手段，および
上記画像表示装置の表示画面に表示されている複数の画像のうち，上記識別データ受信手段によって受信された識別データによって識別される上記キーパッドに対応する画像が選択されたことを識別する選択識別手段，
を備えた画像表示コントロール・システム。
【請求項２】
リモート・コントローラの複数のキーパッドの配列に対応して，複数の画像を表示画面上に表示するように画像表示装置を制御する表示制御手段，
上記リモート・コントローラから送信され，上記複数のキーパッドのうち，押されたキーパッドを識別する識別データを受信する識別データ受信手段，および
上記画像表示装置の表示画面に表示されている複数の画像のうち，上記識別データ受信手段によって受信された識別データによって識別される上記キーパッドに対応する画像が選択されたことを識別する選択識別手段，
を備えた画像表示システム。
【請求項３】
上記リモート・コントローラの機種を判定する判定手段をさらに備え，
上記表示制御手段が，上記判定手段によって判定された上記リモート・コントローラの機種に応じたキーパッドの配列に対応して複数の画像を表示画面に表示するように上記画像表示装置を制御するものである，
請求項２に記載の画像表示システム。
【請求項４】
リモート・コントローラの複数のキーパッドの配列に対応して，複数の画像をそれぞれのグループが含む複数の画像グループを表示画面上に表示するように画像表示装置を制御する第１の表示制御手段，
上記リモート・コントローラから送信され，上記複数のキーパッドのうち，押されたキーパッドを識別する識別データを受信する識別データ受信手段，および
上記画像表示装置の表示画面に表示されている複数の画像グループのうち，上記識別データ受信手段によって受信された識別データによって識別される上記キーパッドに対応する画像グループが選択されたことを識別する選択識別手段，
を備えた画像表示システム。
【請求項５】
複数の画像グループに代えて，上記選択識別手段によって選択された画像グループに含まれる画像を上記表示画面上に表示されるように上記画像表示制御装置を制御する第２の表示制御手段，
をさらに備えた請求項４に記載の画像表示システム。
【請求項６】
複数のキーパッド，
上記複数のキーパッドの配列に対応して，複数の画像をそれぞれが含む複数の画像グループを表示画面上に表示する画像表示装置，
上記複数のキーパッドのうちのどのキーパッドが押されたかを見つける判定手段，および
上記判定手段により見つけられたキーパッドに対応する画像グループに含まれる画像が上記表示画面上に表示されるように上記画像表示装置を制御する表示制御手段，
を備えた画像表示システム。
【請求項７】
リモート・コントローラの複数のキーパッドの配列に対応して，複数の画像を表示画面上に表示するように画像表示装置を制御し，
上記リモート・コントローラから送信され，上記複数のキーパッドのうち，押されたキーパッドを識別する識別データを受信し，
上記画像表示装置の表示画面に表示されている複数の画像のうち，受信した識別データによって識別される上記キーパッドに対応する画像が選択されたことを識別する，
画像表示システムの制御方法。
【請求項８】
リモート・コントローラの複数のキーパッドの配列に対応して，複数の画像をそれぞれのグループが含む複数の画像グループを表示画面上に表示するように画像表示装置を制御し，
上記リモート・コントローラから送信され，上記複数のキーパッドのうち，押されたキーパッドを識別する識別データを受信し，
上記画像表示装置の表示画面に表示されている複数の画像グループのうち，受信した識別データによって識別される上記キーパッドに対応する画像グループが選択されたことを識別する，
画像表示システムの制御方法。
【請求項９】
複数のキーパッド，および上記複数のキーパッドの配列に対応して，複数の画像をそれぞれが含む複数の画像グループを表示画面上に表示する画像表示装置を画像表示システムに設け，
上記複数のキーパッドのうちのどのキーパッドが押されたかを見つけ，
見つけられたキーパッドに対応する画像グループが選択されたことを識別する，
画像表示システムの制御方法。
【発明の詳細な説明】
【技術分野】
【０００１】
この発明は，画像表示リモート・コントロール・システムならびに画像表示システムおよびその制御方法に関する。
【背景技術】
【０００２】
ディジタル・スチル・カメラとテレビジョン装置とをケーブルを用いて接続することにより，ディジタル・スチル・カメラを用いて撮影された被写体像をテレビジョン装置の表示画面上に表示させることができるものがある。テレビジョン装置の表示画面上には，たとえば，多数の駒のサムネイル画像が一覧で表示される。多数のサムネイル画像の中から所望の画像を表示画面全体に渡って表示させるには，そのサムネイル画像を選択する必要がある。ところが，ディジタル・スチル・カメラには，上下左右矢印のボタン，決定ボタン等のボタン類しかなく，所望のサムネイル画像を選択するには上下左右ボタンを何度も押さなければならない。
【０００３】
テレビジョン装置に画像を表示する場合に，リモート・コントロール装置を用いるものもあるが，画像を選択する操作性については必ずしも考えられていない（特許文献１，２）。
【特許文献１】特開平８−79671号公報
【特許文献２】特開2000−341614号公報
【発明の開示】
【０００４】
この発明は，画像の選択を比較的簡単にできるようにすることを目的とする。
【０００５】
第１の発明は，リモート・コントローラと画像表示システムとを備えた画像表示コントロール・システムについてのものである。
【０００６】
上記リモート・コントローラは，複数キーパッド，および上記複数のキーパッドのうちいずれかのキーパッドが押されたことに応じて，押されたキーパッドを識別する識別データを上記画像表示システムに送信する識別データ送信手段を備えている。
【０００７】
上記画像表示システムは，上記リモート・コントローラの上記複数のキーパッドの配列に対応して，複数の画像を表示画面上に表示するように画像表示装置を制御する表示制御手段，上記リモート・コントローラの上記識別データ送信手段から送信された識別データを受信する識別データ受信手段，および上記画像表示装置の表示画面に表示されている複数の画像のうち，上記識別データ受信手段によって受信された識別データによって識別される上記キーパッドに対応する画像が選択されたことを識別する識別手段を備えている。
【０００８】
第２の発明は，上記画像表示コントロール・システムを構成する画像表示システムについてのものである。すなわち，リモート・コントローラの複数のキーパッドの配列に対応して，複数の画像を表示画面上に表示するように画像表示装置を制御する表示制御手段，上記リモート・コントローラから送信され，上記複数のキーパッドのうち，押されたキーパッドを識別する識別データを受信する識別データ受信手段，および上記画像表示装置の表示画面に表示されている複数の画像のうち，上記識別データ受信手段によって受信された識別データによって識別される上記キーパッドに対応する画像が選択されたことを識別する選択識別手段を備えていることを特徴とする。
【０００９】
第２の発明は，上記画像表示システムに適した制御方法も提供している。すなわち，この方法は，リモート・コントローラの複数のキーパッドの配列に対応して，複数の画像を表示画面上に表示するように画像表示装置を制御し，上記リモート・コントローラから送信され，上記複数のキーパッドのうち，押されたキーパッドを識別する識別データを受信し，上記画像表示装置の表示画面に表示されている複数の画像のうち，受信した識別データによって識別される上記キーパッドに対応する画像が選択されたことを識別するものである。
【００１０】
第２の発明によると，リモート・コントローラの複数のキーパッドの配列に対応した複数の画像が画像表示装置の表示画面上に表示される。リモート・コントローラのキーパッドが押されると，押されたキーパッドを識別する識別データがリモート・コントローラから画像表示システムに送信される。識別データが画像表示システムにおいて受信されると，受信した識別データによって識別されるリモート・コントローラのキーパッドに対応する画像が選択されたことが識別される（たとえば，選択された画像の周りに枠が表示される）。
【００１１】
リモート・コントローラのキーパッドを押すだけで所望の画像を選択できるようになる。比較的簡単に画像を選択できるようになる。
【００１２】
上記リモート・コントローラの機種を判定する判定手段をさらに備えることが好ましい。この場合，上記表示制御手段は，上記判定手段によって判定された上記リモート・コントローラの機種に応じたキーパッドの配列に対応して複数の画像を表示画面に表示するように上記画像表示装置を制御するものとなろう。
【００１３】
リモート・コントローラの機種によらず，キーパッドの配列に対応して複数の画像が表示されるので，キーパッドを押すことにより，所望の画像を選択できる。
【００１４】
第３の発明による画像表示システムは，リモート・コントローラの複数のキーパッドの配列に対応して，複数の画像をそれぞれのグループが含む複数の画像グループを表示画面上に表示するように画像表示装置を制御する第１の表示制御手段，上記リモート・コントローラから送信され，上記複数のキーパッドのうち，押されたキーパッドを識別する識別データを受信する識別データ受信手段，および上記画像表示装置の表示画面に表示されている複数の画像グループのうち，上記識別データ受信手段によって受信された識別データによって識別される上記キーパッドに対応する画像グループが選択されたことを識別する選択識別手段を備えていることを特徴とする。
【００１５】
第３の発明は，上記画像表示システムに適した制御方法も提供している。すなわち，この方法は，リモート・コントローラの複数のキーパッドの配列に対応して，複数の画像をそれぞれのグループが含む複数の画像グループを表示画面上に表示するように画像表示装置を制御し，上記リモート・コントローラから送信され，上記複数のキーパッドのうち，押されたキーパッドを識別する識別データを受信し，上記画像表示装置の表示画面に表示されている複数の画像グループのうち，受信した識別データによって識別される上記キーパッドに対応する画像グループが選択されたことを識別するものである。
【００１６】
第３の発明によると，リモート・コントローラの複数のキーパッドの配列に対応して複数の画像をそれぞれのグループが含む複数の画像グループが画像表示装置の表示画面上に表示される。リモート・コントローラのキーパッドが押されると，押されたキーパッドを識別する識別データがリモート・コントローラから画像表示システムに送信される。識別データが画像表示システムにおいて受信されると，受信した識別データによって識別されるリモート・コントローラのキーパッドに対応する画像グループが選択されたことが識別される（たとえば，選択された画像グループの周りに枠が表示される）。
【００１７】
リモート・コントローラのキーパッドを押すだけで所望の画像グループを選択できるようになる。
【００１８】
複数の画像グループに代えて，上記選択識別手段によって選択された画像グループに含まれる画像を上記表示画面上に表示されるように上記画像表示制御装置を制御する第２の表示制御手段をさらに備えることが好ましい。
【００１９】
第４の発明による画像表示システムは，複数のキーパッド，上記複数のキーパッドの配列に対応して，複数の画像をそれぞれが含む複数の画像グループを表示画面上に表示する画像表示装置，上記複数のキーパッドのうちのどのキーパッドが押されたかを見つける判定手段，および上記判定手段により見つけられたキーパッドに対応する画像グループに含まれる画像が上記表示画面上に表示されるように上記画像表示装置を制御する表示制御手段を備えていることを特徴とする。
【００２０】
第４の発明は，上記画像表示システムに適した方法も提供している。すなわち，この方法は，複数のキーパッド，および上記複数のキーパッドの配列に対応して，複数の画像をそれぞれが含む複数の画像グループを表示画面上に表示する画像表示装置を画像表示システムに設け，上記複数のキーパッドのうちのどのキーパッドが押されたかを見つけ，見つけられたキーパッドに対応する画像グループが選択されたことを識別するものである。
【００２１】
第４の発明によると，画像表示システムには，複数のキーパッドが設けられている。この複数のキーパッドの配列に対応して，複数の画像をそれぞれが含む複数の画像グループが画像表示装置の表示画面上に表示される。複数のキーパッドのうちいずれかのキーパッドが押されると，押されたキーパッドが見つけられ，見つけられたキーパッドに対応する画像グループが選択される。キーパッドを押すことにより，所望の画像グループを選択できる。
【実施例】
【００２２】
図１は，この発明の実施例を示すもので，画像表示コントロール・システムの概要である。
【００２３】
画像表示コントロール・システムには，携帯電話（リモート・コントローラ）１，電子アルバム制御装置（画像表示システム）30およびテレビジョン装置40が含まれている。
【００２４】
携帯電話１と電子アルバム制御装置30との間では赤外線通信をすることができ，このために電子アルバム制御装置30には赤外線通信装置31が設けられている。電子アルバム制御装置30とテレビジョン装置40とはケーブルによって接続されており，画像データを電子アルバム制御装置30からテレビジョン装置40に送信することができる。
【００２５】
この実施例による画像表示コントロール・システムにおいては，テレビジョン装置40の表示画面41上に，電子アルバム制御装置30に記憶されている画像データによって表されるサムネイル画像が多数表示され，その表示されているサムネイル画像の中から所望のサムネイル画像を携帯電話１を用いて選択するものである。詳しくは，後述するように，テレビジョン装置40の表示画面41上には携帯電話１のキーパッドの配列に対応した配列でサムネイル画像が表示される。サムネイル画像の配列と携帯電話１のキーパッドの配列とが対応しているので，携帯電話１を用いて直感的にサムネイル画像を選択できる。
【００２６】
この実施例においては携帯電話１が利用されるが，携帯電話だけでなく，テレビジョン装置のリモート・コントロール装置のように，テン・キーパッドが設けられており，かつどのキーパッドが押されたかを示す信号が電子アルバム制御装置30に送信できるようなものであればよい。
【００２７】
図２は，携帯電話１の外観を示している。
【００２８】
携帯電話１の上面の左側にはアンテナ２が設けられている。また，携帯電話１の上面のほぼ中央には，上述したように，電子アルバム制御装置30と赤外線通信を行うための赤外線通信装置15が設けられている。
【００２９】
携帯電話１の正面の上部にはスピーカ３が設けられている。このスピーカ３の下には表示画面４が形成されている。
【００３０】
表示画面４の下には，電話帳を表示するときに押される電話帳ボタン５，設定ボタン６，各種メニューを表示するときに押されるメニュー・ボタン７，上下左右の矢印ボタン８，確定ボタン９，相手の電話と接続するときに押される発呼ボタン10，クリア・ボタン11，電話を切るときに押される切断ボタン12およびテン・キーパッド13が設けられている。
【００３１】
また，携帯電話の正面の下部にはマイクロフォン14が設けられている。
【００３２】
図３は，携帯電話１の電気的構成を示すブロック図である。
【００３３】
携帯電話１の全体の動作は，制御装置20によって統括される。
【００３４】
携帯電話１には，上述したように，各種ボタン５〜12およびテン・キーパッド13が設けられており，これらのボタン15から出力する信号は，制御装置20に入力する。制御装置20には，各種データ等を一時的に記憶するメモリ32が接続されている。
【００３５】
また，携帯電話１には，上述したように，マイクロフォン14およびスピーカ３が設けられている。マイクロフォン14に与えられた音声が音声信号に変換され，音声制御回路26，制御装置20および通信制御回路26を介してアンテナ２に与えられることにより，音声データとして通話相手の携帯電話に送信される。通話相手の携帯電話１から送信された音声データはアンテナ２によって受信され，通信制御回路26，制御装置20および音声制御回路27を介してスピーカ３に与えられる。スピーカ３から通話相手の声が出力される。
【００３６】
上述したように，携帯電話１には赤外線通信装置15が設けられており，この赤外線通信装置15は赤外線通信制御回路25によって制御される。さらに，携帯電話１には上述した表示画面４をもつ表示装置24が含まれており，この表示装置24が表示制御装置23によって制御される。
【００３７】
図４は，電子アルバム制御装置30の電気的構成を示すブロック図である。
【００３８】
電子アルバム制御装置30の全体の動作は，制御装置32によって統括される。
【００３９】
電子アルバム制御装置30には，操作ボタン35が設けられており，この操作ボタン35から出力される操作信号は，制御装置32に入力する。制御装置32には，多数の画像を表す画像データおよびサムネイル画像を表すサムネイル画像データが記憶されているメモリ（ハードディスク等でもよいのはいうまでもない）36が接続されている。
【００４０】
電子アルバム制御装置30には，上述したように，携帯電話１と赤外線通信するための赤外線通信装置31および赤外線通信制御装置34が含まれている。さらに，電子アルバム制御装置30には，画像データをテレビジョン装置40に送信するための画像データ通信装置33も含まれている。
【００４１】
図５は，携帯電話の機種とその機種のテン・キーパッド配列との対応表である。
【００４２】
この実施例による画像表示コントロール・システムは，携帯電話のテン・キーパッドの配列に対応して，テレビジョン装置40の表示画面41に画像（画像グループ）が表示されるものである。ところが，携帯電話のテン・キーパッド配列は，その機種によって異なることがある。このために，電子アルバム制御装置30においては，携帯電話の機種に対応したテン・キーパッド配列が記憶されている。電子アルバム制御装置30において，携帯電話の機種が判別され，そのテン・キーパッド配列が分かる。携帯電話の機種に応じたテン・キーパッドの配列に対応して，テレビジョン装置40の表示画面41にサムネイル画像が表示されるようになる。
【００４３】
たとえば，Ａ社の携帯電話であれば，そのテン・キーパッドの配列は２行４列から構成される。Ｂ社の携帯電話であれば，そのテン・キーパッドの配列は３行４列から構成される（図２も参照）。Ｃ社の携帯電話であれば，そのテン・キーパッドの配列は４行３列から構成される。このような対応表を表わすデータが電子アルバム制御装置30のメモリ36に格納されている。
【００４４】
図６および図７は，電子アルバム制御装置30の処理手順を示すフローチャートである。図８から図10は，テレビジョン装置40の表示画面41に表示される画像の一例である。
【００４５】
以下に示す例では，図２に示すように３行４列のテン・キーパッド13をもつ携帯電話１が用いられるものとする。
【００４６】
携帯電話１のメニュー・ボタン７を用いてメニューが表示され，そのメニューの中から電子アルバム制御が上下左右ボタン８および設定ボタン６を用いて選択される。確定ボタン９が押されると，携帯電話１から電子アルバム制御装置30に，携帯電話１の機種を示す機種データが送信される。
【００４７】
携帯電話１から送信された機種データが電子アルバム制御装置30において受信されると（ステップ51），その機種データにもとづいて携帯電話１の機種が判別される（ステップ52）。
【００４８】
判別された機種に対応するキーパッド配列がその対応表に格納されてメモリ36に記憶されていれば（ステップ53でＹＥＳ），機種に対応するキーパッド配列の画像配列が電子アルバム制御装置30にセットされる（ステップ54）。判別された機種に対応するキーパッド配列がメモリ36に記憶されていない（あるいは携帯電話１の機種自体が判別できない）場合には（ステップ53でＮＯ），あらかじめ定められた画像配列が電子アルバム表示制御装置30にセットされる（ステップ55）。
【００４９】
画像配列がセットされると，メモリ36に記憶されている画像データが読み取られる（ステップ56）。テレビジョン装置40の表示画面41に表示すべき画像の数が判別された携帯電話１のテン・キーパッドの数（またはあらかじめ設定された画像配列によって決定される数）よりも多いかどうかが確認される（ステップ57）。
【００５０】
表示すべき画像の数がテン・キーパッドの数よりも多いと（ステップ57でＹＥＳ），表示される画像とテン・キーパッドの中の一つのキーパッドとが一対一に対応しない。このために，この実施例においては，テン・キーパッドの数よりも多くのサムネイル画像が，テン・キーパッドの数に対応するようにグループ分けされてテレビジョン装置40の表示画面41上に表示される。このような表示のために，テン・キーパッドに対応した画像グループが定義される（ステップ58）。すると，携帯電話１のテン・キーパッドに対応してグループ分けされた画像がテレビジョン装置40の表示画面41上に表示される（ステップ59）。
【００５１】
図８を参照して，電子アルバム表示制御装置30から多数の画像を表す画像データがテレビジョン装置40に送信されると，多数のサムネイル画像（この例では，水平方向27個垂直方向64個のサムネイル画像）ｉ１がテレビジョン装置40の表示画面41上に表示される。これらの多数のサムネイル画像ｉ１は，携帯電話１のテン・キーパッドに対応した３行４列の画像グループＧ１〜Ｇ12に分けられる。グループＧ１〜Ｇ12が分かるようにそれぞれにグループごとに枠Ｆ１〜Ｆ12も表示されている。
【００５２】
これらのグループＧ１，Ｇ２，Ｇ３，Ｇ４，Ｇ５，Ｇ６，Ｇ７，Ｇ８，Ｇ９，Ｇ10，Ｇ11およびＧ12は，携帯電話１のテン・キーパッド13のうち，「１」，「２」，「３」，「４」，「５」，「６」，「７」，「８」，「９」，「＊」および「＃」のそれぞれのキーパッドに対応している。テン・キーパッド13のうち，いずれかのキーパッドが押されると，押されたキーパッドに対応するグループが選択されたこととなる。いずれかのキーパッドが押されると，キーパッドを識別するデータが携帯電話１から電子アルバム制御装置30に送信される。
【００５３】
図７を参照して，携帯電話１から送信されたキーパッド識別データが電子アルバム制御装置30において受信されると（ステップ60でＹＥＳ），そのキーパッド識別データにもとづいて，どのキーパッドが押されたかが判定される（ステップ61）。ここでは，「１」のキーパッドが押されたものとする。すると，押されたキーパッドに対応するグループＧ１が選択されたことが識別され，そのグループＧ１内に含まれる画像（表示すべき画像）の数がテン・キーパッド13の数よりも多いかどうかが再び判定される（ステップ57）。グループＧ１内の画像の数は水平方向９個垂直方向16個であり，テン・キーパッド13の数よりも多い。このために再び，グループＧ１内の画像について，テン・キーパッド13の配列に対応してグループ分けの定義が行われ，画像がグループごとに表示される（ステップ58，59）。
【００５４】
図９を参照して，グループＧ１内のサムネイル画像ｉ１がテン・キーパッド13の配列に対応して，３行４列の画像グループｇ１〜ｇ12に分けて表示されることとなる。各グループが分かるようにグループｇ１〜ｇ12に対応して枠ｆ１〜ｆ12も表示されている。各グループｇ１〜ｇ12にはサムネイル画像ｉ１よりも大きなサムネイル画像ｉ２が含まれることとなる。上述したのと同様に，携帯電話１のテン・キーパッド13が押されることにより，その押されたキーパッドに対応したグループが選択されることとなる。テン・キーパッド13のうち「２」のキーパッドが押されると，グループｇ２が選択されたこととなる。そのグループｇ２内の画像の数が数えられる。
【００５５】
図７を参照して，グループｇ２内の画像の数はキーパッドの数と同じ（未満でもよい）であるので（ステップ57でＮＯ），画像とキーパッドとが一対一に対応する。このために，キーパッドに一対一に対応した画像が定義され（ステップ62），画像がテン・キーパッド13に対応して表示される（ステップ63）。
【００５６】
図10を参照して，テレビジョン装置40の表示画面41にはテン・キーパッド13のそれぞれのキーパッドに一対一に対応したサムネイル画像Ｉ１〜Ｉ12が表示されるようになる。これらのサムネイル画像Ｉ１，Ｉ２，Ｉ３，Ｉ４，Ｉ５，Ｉ６，Ｉ７，Ｉ８，Ｉ９，Ｉ10，Ｉ11およびＩ12は，テン・キーパッド13のキーパッド「１」，「２」，「３」，「４」，「５」，「６」，「７」，「８」，「９」，「＊」，「０」および「＃」にそれぞれ対応する。いずれかのキーパッドが押されることにより，対応するサムネイル画像が選択されることとなる。
【００５７】
図７に戻って，携帯電話１から送信されるキーパッド識別データが電子アルバム表示制御装置30において受信されると（ステップ64でＹＥＳ），そのキーパッド識別データにもとづいてどのキーパッドが押されたかどうかが判定される（ステップ65）。すると，判定されたキーパッドに対応するサムネイル画像に対応する画像を表す画像データがメモリ36から読み出され，テレビジョン装置40に送信される。選択された一駒の画像が識別されてテレビジョン装置40の表示画面41に渡って表示されるようになる（ステップ66）。
【００５８】
図11は，テレビジョン装置の表示画面41Ａに表示されるサムネイル画像の一例である。
【００５９】
画像グループｇ11〜ｇ20は，すべては同じ形状の枠で囲まれているものではなく，異なる形状のものもある。また，各グループに含まれているサムネイル画像ｉの数もグループごとにことなっている。
【００６０】
上述した実施例においては，それぞれのグループ内に含まれている画像の数はグループに関係なく同じとされているが，このように異なるものでもよい。また，グループの形状（枠の形状）もグループごとに異なるものでもよい。
【００６１】
さらに，上述した実施例においては，携帯電話１の機種を判別してから画像データをメモリ36から読み取っているが，先に画像データを読み取ってから携帯電話１の機種を判別するようにしてもよい。
【００６２】
図12から図14は，他の実施例を示すもので，店頭プリント装置についてのものである。
【００６３】
図12は，店頭プリント装置の外観を示している。
【００６４】
店頭プリント装置70は，ユーザが持参したメモリ・カードに記録されている画像データによって表される画像をプリントするものである。
【００６５】
店頭プリント装置70の正面の上部には，表示画面71が設けられている。また，店頭プリント装置70の正面のほぼ中央には，前面に張り出した操作台75が形成されている。操作台75には，上述した携帯電話１のテン・キーパッド（図２参照）と同じ配列のテン・キーパッド72が設けられている。すなわち，このテン・キーパッド72は，３行４列のものであり，「１」から「９」および「０」ならびに「＊」および「＃」のそれぞれのキーパッドが含まれている。このテン・キーパッド72の右側には，キャンセル・ボタン74およびＯＫボタン73が設けられている。
【００６６】
店頭プリント装置70の正面の下部には，ユーザが持参したメモリ・カードを挿入するためのメモリ・カード挿入口76が形成されている。このメモリ・カード挿入口76の下には，プリント排出口77が形成されている。
【００６７】
このような店頭プリント装置70においても，上述したように，メモリ・カードに記録されている画像データによって表される画像（サムネイル画像）が，テン・キーパッド72を構成するそれぞれのキーパッドの配列に対応して，図８または図９に示すように画像グループが表示される。テン・キーパッド72の中の所望のキーパッドが押されることにより多数の画像グループの中の対応する画像グループが選択されることとなる。
【００６８】
図13は，店頭プリント装置70の電気的構成を示すブロック図である。
【００６９】
店頭プリント装置70の全体の動作は，制御装置80によって統括される。上述したテン・キーパッド72ならびにボタン73および74を含むボタン類81からの出力信号は，制御装置80に入力する。また，制御装置80にはデータ等を一時的に記憶するメモリ82が接続されている。
【００７０】
店頭プリント装置70には，挿入されれるメモリ・カードに記録されている画像データを読み取るためのメモリ・カード・インターフェイス83が含まれている。また，上述したように，表示画面71をもつ表示装置85および表示装置85を制御する表示制御装置84が店頭プリント装置70に含まれている。さらに，店頭プリント装置70には，画像をプリントするプリンタ87およびプリンタ87を制御するためのプリンタ・コントローラ86も含まれている。
【００７１】
図14は，店頭プリント装置70の処理手順を示すフローチャートである。
【００７２】
ユーザによって持参されたメモリ・カードがメモリ・カード挿入口76から挿入される（ステップ91）。すると，挿入されたメモリ・カードに記録されている画像データが店頭プリント装置70に読み取られる（ステップ92）。読み取られた画像データによって表される画像の数がキーパッド72を構成するキーパッドの数よりも多いかどうかが判定される（ステップ93）。
【００７３】
多い場合には（ステップ93でＮＯ），テン・キーパッド72のキーパッドの配列に対応して画像がグループごとに分けられ，グループごとに表示される（ステップ94）。キーパッドが押されると，どのキーパッドが押されたかが判定される（ステップ96）。押されたキーパッドに対応するグループ内の画像の数がキーパッドの数よりもまだ多いかどうかが確認される（ステップ93）。多ければ，再びステップ94から96までの処理が繰り返される。少なければ，テン・キーパッド72のキーパッドの配列に一対一に対応して一駒ずつの画像が表示画面71上に表示される（ステップ97）（図10も参照）。
【００７４】
テン・キーパッド72のうち，いずれかのキーパッドが押されると（ステップ98でＹＥＳ），どのキーパッドが押されたかが判定される（ステップ99）。押されたキーパッドに対応する一駒の画像が表示画面71の全体に渡って表示される（ステップ100）。
【００７５】
このように，必ずしも，画像を指定するテン・キーパッドと画像の表示を制御する装置とが別々となっていなくともよい。
【００７６】
上述した実施例においては，表示画面41（または71）に表示されるサムネイル画像は，他のグループに属するものと区別できるようにグループ間の間隔があけられているが，必ずしも間隔をあける必要はない。また，携帯電話のキー配列に画像（画像グループ）が対応して表示されていればよく，各グループごとに枠を設ける必要もない。
【図面の簡単な説明】
【００７７】
【図１】画像表示コントロール・システムの概要を示している。
【図２】携帯電話の外観を示している。
【図３】携帯電話の電気的構成を示すブロック図である。
【図４】電子アルバム制御装置の電気的構成を示すブロック図である。
【図５】携帯電話の機種とキーパッド配列との関係を示す対応表である。
【図６】電子アルバム制御装置の処理手順を示すフローチャートである。
【図７】電子アルバム制御装置の処理手順を示すフローチャートである。
【図８】テレビジョン装置に表示される画像の一例である。
【図９】テレビジョン装置に表示される画像の一例である。
【図１０】テレビジョン装置に表示される画像の一例である。
【図１１】テレビジョン装置に表示される画像の一例である。
【図１２】店頭プリント装置の外観を示している。
【図１３】店頭プリント装置の電気的構成を示すブロック図である。
【図１４】店頭プリント装置の処理手順を示すフローチャートである。
【符号の説明】
【００７８】
１  携帯電話（リモート・コントローラ）
13，72  キーパッド
15，31  赤外線通信装置
25，34  赤外線通信制御装置
30  電子アルバム制御装置（画像表示システム）
32，80  制御装置
【図１】
2006094125.tif 000003
【図２】
2006094125.tif 000004
【図３】
2006094125.tif 000005
【図４】
2006094125.tif 000006
【図５】
2006094125.tif 000007
【図６】
2006094125.tif 000008
【図７】
2006094125.tif 000009
【図８】
2006094125.tif 000010
【図９】
2006094125.tif 000011
【図１０】
2006094125.tif 000012
【図１１】
2006094125.tif 000013
【図１２】
2006094125.tif 000014
【図１３】
2006094125.tif 000015
【図１４】
2006094125.tif 000016